(57)【要約】【課題】  使用を希望する携帯電話方式がサービスされていない海外等の地域にはその携帯電話方式基地局は存在せず、またかかる地域においてはその地域の電波環境を乱さぬよう使用を希望する異種の携帯電話端末を動作させることは出来ない。【解決手段】電磁波的密閉空間を形成する筐体内に異種携帯電話方式の電磁波エネルギーを局所的に封じこめ、その中だけで無線通信を行うため、電波環境を乱すことなく異種携帯電話端末を使用できる。【選択図】図１
2005094722.tif 000002
【特許請求の範囲】
【請求項１】
特定の携帯電話方式が運用される空間内において、該携帯電話方式とは異なる方式の携帯電話基地局装置と、電波遮蔽材料および電波吸収材料のいずれかまたは双方により構成される電磁波的密閉筐体と、該電磁波的密閉筐体内に設置される該携帯電話基地局装置用アンテナと、同じく該電磁波的密閉筐体内に設置される該携帯電話基地局装置に対応する携帯電話端末装置とにより構成され、該電磁波的密閉筐体内においてのみ無線通信を行う事を特徴とする通信システム。
【請求項２】
携帯電話基地局装置と、電波遮蔽材料および電波吸収材料のいずれかまたは双方により構成される電磁波的密閉筐体と、電波遮蔽材料および電波吸収材料のいずれかまたは双方により構成され、付随するドアの内部よりのロック確認機構を有する電磁波的密閉筐体と、該電磁波的密閉筐体内に設置される該携帯電話基地局装置用アンテナと、同じく該電磁波的密閉筐体内に設置される該携帯電話基地局装置に対応する携帯電話端末装置とにより構成され、ドアのロックが確認されている期間のみ無線通信を行う請求項１記載の通信システム。
【請求項３】
携帯電話基地局装置と、電波遮蔽材料および電波吸収材料のいずれかまたは双方により構成される電磁波的密閉筐体と、該電磁波的密閉筐体内に設置されるアンテナと、該電磁波的密閉筐体を貫通し該アンテナと該携帯電話基地局装置とを接続する有線ケーブルと、該電磁波的密閉筐体内に設置する該筐体と同様材料で構成され収納時のみに開く開口部を有する携帯電話端末収容用コンテナーと、該コンテナーに設置する携帯電話端末接続用コネクターと、該電磁波的密閉筐体を貫通し該コネクターと外部の通信装置とを接続する有線ケーブルとより構成される請求項１記載の通信システム。
【発明の詳細な説明】
【技術分野】
【０００１】  本発明は携帯電話に係わり、必要とする携帯電話方式サービスが実施されていない地域において、該携帯電話方式の携帯電話端末を使用可能とする手段を提供する。
【背景技術】
【０００２】  特定の携帯電話方式が指定運用されている地域（以下特定地域と称する）において、他の方式の携帯電話端末（以下異種携帯電話と称する）を使用することは当然出来ない。【０００３】  一方今日携帯電話は単なる音声通話用だけではなく、液晶表示等による視覚的情報表示手段を具備し、電話機の持つ辞書機能・電話帳機能・データ通信機能・メール蓄積機能・着信音機能・着信画面機能その他多彩な機能を有し、日常必須の各種情報を格納する個人用情報端末として利用しており日常必須の通信メディアとなっている。【０００４】  したがって例えば携帯電話使用者が国外旅行中で異種携帯電話に当たる母国の携帯電話端末が使用できないような場合、滞在国仕様の携帯電話機をレンタルしもしくは母国より持参して使用することは可能ではあるが、通常そのような携帯電話機はその操作が滞在国の言語のみで示されること、操作部の配置が異なることなど不便があり、特に液晶表示部上で母国語表示が不可能であると言う大きな問題がある。【０００５】  この改善のため本発明は特定地域において、該特定地域の電波環境を乱すことがなく且つ異種携帯電話端末動作が容易に可能な電磁波的密閉空間を提供するものである。
【発明の開示】
【発明が解決しようとする課題】
【０００６】  発明が解決しようとする問題は該特定地域においてはその地域の電波環境を乱さぬよう異種携帯電話端末を動作させることは出来ないこと、また異種携帯電話方式で対応する基地局は存在しないことである。
【課題を解決するための手段】
【０００７】  本発明は異種携帯電話方式の基地局用アンテナを囲い込む形で局所的に電磁波的密閉空間を形成する筐体内に異種携帯電話端末を収容することにより課題を解決するものである。
【発明の効果】
【０００８】  本発明の通信システムにおいては、異種携帯電話方式の電磁波エネルギーは局所的な電磁波的密閉空間に封じられるため、特定空間の電波環境を乱すことなく異種携帯電話端末を使用できる。
【発明を実施するための最良の形態】
【０００９】  以下本発明の実施の形態の基本を図１に基づき説明する。
図１においては、１は特定区域、２は電波遮蔽材料および電波吸収材料で作られ電磁波的密閉空間を形成する筐体、３は異種携帯電話基地局装置、４はアンテナ、５は異種携帯電話端末、６は無線通信を示す矢印であり、１を除き本発明のシステム構成の主要部である。【００１０】  以上の構成において特定区域１においては、異種携帯電話端末を使用することは規則上当然出来ない。【００１１】  ここにおいて電磁波的密閉空間を形成する筐体２の内部には特定区域１において使用される携帯電話方式の電波は侵入しない。  同様に筐体２内で使用される特定区域１には放射されない。  従って筐体２内においては有線ケーブル（図示せず）により外部通信網に接続される異種携帯電話基地局装置３及びアンテナ４と、異種携帯電話端末５との間の無線通信は特定区域１の電波環境を乱すことなく、また逆に特定区域１において使用される携帯電話方式の電波に乱される事無く行うことができる。
【実施例１】
【００１２】  本発明の応用例を図２に示す。  図２において２は電波遮蔽材料および電波吸収材料で作られ電磁波的密閉空間を形成する筐体、３は異種携帯電話基地局装置、４はアンテナ、５は異種携帯電話端末、７は携帯電話端末使用者、８は筐体２と同様の材料で作られる筐体２への入退出用電磁波的密閉扉、９はマイクロスイッチ、１０は入退出用電磁波的密閉扉８の内部の扉ロック用手把、１１はマイクロスイッチ９と基地局装置３を結ぶケーブル、１２は有線電話端末である。【００１３】  本実施例は電話ボックス（テレフォンブース）型形状に応用するもので、筐体２により電話ボックスを構成する。  本例では携帯電話端末使用者７が電話ボックスに出入りする必要上、入退出用密閉扉８を設ける。  ただし扉８開放中は電波が外部に放射される恐れがあるため携帯電話端末使用者７が内部から行うロック操作を手把１０位置のマイクロスイッチ９による確認をした場合のみ制御ケーブル１１を介して電話基地局装置３を起動状態に置くことを特徴とする。【００１４】  有線電話１２と携帯電話とは同一地点で共存できるから有線電話ボックスとの共用が可能であり設備コスト面で有利である。
またマイクロスイッチ９、扉ロック用手把１０、ケーブル１１により構成される扉ロック確認方法は他の機械的、電子的、光学的、音響的等手段で置き換えてもよいことは当然である。
【実施例２】
【００１５】  本発明の第２の応用例を図３、図４に示す。
本実施例は実施例１の効果をより小さい空間で実現するもので、筐体２が電話ボックス形状に代えてセフティボックス形状を構成するものである。
図３において２は電波遮蔽材料および電波吸収材料で作られ電磁波的密閉空間を形成する筐体、４はアンテナ、１３は異種携帯電話端末を収容する筒状コンテナーである。
図４は図３の異種携帯電話端末を収容するコンテナー１３の詳細を示すもので、１３ａはコンテナー１３の外筒、１３ｂはコンテナー１３の内筒、１４ｂは内筒に設置する異種携帯電話端末を出し入れするための開口部、１４ａは開口部１４ｂに対応する形で外筒に設置する開口部、１５は携帯電話接続アダプターのコネクター、ｌ６はコンテナー１３の内筒１３ｂを貫通する携帯電話接続アダプター１５のケーブルであり、図中の矢印は内筒１３ｂの運動方向を示す。【００１６】  実施例２では実施例１における電話ボックスに比して省スペースをはかるため、異種携帯電話端末のみを電磁波的密閉空間に収容するものである。
ホテル等で用いられるセフティボックス状の携帯を持ち、電波遮蔽材料および電波吸収材料で作られた筐体２の内部に、筐体２と同様の材料で作られその中に異種携帯電話端末を収容できる一個もしくは複数のコンテナーｌ３及びアンテナ４を設置する。  アンテナ４は実施例１と同様に異種携帯電話基地局装置（図示せず）と接続する。【００１７】  コンテナー１３は内筒１３ｂ及び外筒１３ａよりなり、それ自体電磁波的密閉空間を形成する。  ただし内筒１３ｂには開口部１４ｂがあり、１３ａを一部引き出し、開口部１４ｂより携帯電話接続アダプターのコネクター１５を接続した状態で異種携帯電話端末５を挿入する。  この状態では外筒１３ａと内筒１３ｂの底部により電磁波的密閉空間は保持される。  さらに１３ｂを押し込んだうえで開口部１４ｂと開口部１４ａが一致するように回転させると、異種携帯電話端末５とアンテナ４間の遮蔽が開放され無線による通信が可能となる。  携帯電話端末使用者はケーブル１６につながる通常の携帯電話用イヤフォーンマイク等（図示せず）で通話する事が出来る。  本実施例ではコンテナー形状を筒状とし、内筒回転による開口部開放としたが、開口部開放はこれに限られず要は電磁波的密閉空間を開閉する扉相当の部材の駆動で行う事が出来るのは言うまでもない。
【図面の簡単な説明】
【００１８】
【図１】本発明の基本的実施形態を示す図
【図２】本発明の電話ボックス型応用的実施形態を示す図
【図３】本発明のセフティボックス型応用的実施形態を示す図
【図４】本発明のセフティボックス型応用的実施形態の細部を示す図
【符号の説明】
【００１９】  １    特定区域を示す楕円
２    電磁波的密閉空間を形成する筐体、
３    電話基地局装置、
４    アンテナ、
５    携帯電話端末、
６    無線通信を示す矢印
７    携帯電話端末使用者
８    入退出用電磁波的密閉扉
９    マイクロスイッチ
１０    扉ロック用手把
１１    ケーブル、
１２    有線電話端末
１３    携帯電話端末収容用コンテナー
１３ａ  コンテナー１３の外筒
１３ｂ  コンテナー１３の内筒
１４ａ  外筒の開口部、
１４ｂ  内筒の開口部
１５    携帯電話接続アダプターのコネクター
１６    携帯電話接続アダプターのケーブル
【図１】
2005094722.tif 000003
【図２】
2005094722.tif 000004
【図３】
2005094722.tif 000005
【図４】
2005094722.tif 000006